(57)【要約】      （修正有）【課題】雨天での新聞配達に於いて、バイクのバスケットの防雨容積を拡大する為の防雨用具を提供する。【解決手段】新聞配達でのバイクバスケットの防雨用具であり、大小の２枚の薄い板をバスケットサイド枠を挟さんで立てる為にネジ締めした物を両サイド上に立て、その上にカバーになるシートをかぶせ防雨容積を確保する。小の板は枠の内側より大の板を支える役目をし、大の板はベースであり長方形を少しくずした形で一長辺側の中程にハンドルプロテクター対応の切り欠きを施し、その上の隅と底辺近くの中央とに穴を有し、その対辺上角に風圧対応の為の大きな丸みを施し、各エッジはなめらかに材質が木材の場合は塗装の表面処理を施す。【選択図】図３
0003186208.tif 000002
【実用新案登録請求の範囲】
【請求項１】
新聞配達に於いてのバイク、バスケットの防雨用具であり、大小の２枚の薄い板をバスケットサイド枠を挟さんで枠上に立てる為にネジ締めした物を両サイド上に立ててその上にカバーになるシートをかぶせ防雨容積を確保するもので、小の板は枠の内側より大の板を支える役目をし、大の板は考案具のベースであり、長方形を少しくずしたもので、一長辺側の方に中程にハンドルのプロテクター対応の為の切り欠きを施し、その上の隅と、底辺近く中央とに穴を有し、その対辺上隅に風圧対応の為の大きな丸みを施し、各エッヂは緬を、材質が木材の場合は特になめらかにし、塗装の表面処理を施したバイクバスケットの防雨用具である。
【請求項２】
ハンドルプロテクター対応切り欠き上の隅の穴に図５の丸棒を通し、ベース左右を連結し、ベースの外側、及びベース間でクリップによってシートセットどめをする。従来のひもよし、マジックバンドもよし、この丸棒も又良し、多種方法をもつシートセットどめセットが出来るバイクバスケットの防雨用具である。
【考案の詳細な説明】
【技術分野】
【０００１】本考案は雨天での新聞配達に於いてのバスケットの防雨容積拡大の為の用具である。
【背景技術】
【０００２】バイク特にスクーターでは、バスケットとハンドルの動きが連動型ではないので、防雨の為のカバーシートの端をセットどめ出来ないので、先の実願登録で、脱、着が簡単に出来る物になったが、専用カバー使用にこだわり、夕刊には充分であるが、ページ数の多い朝刊には、バスケット枠上の防雨容積が少なく、出し入れに難がある。
【考案が解決しようとする課題】
【０００３】使用上の利便性から、新聞の出し入れする開口は常時開けておく必要がある為に本体ベースの面積を広くする事に限られる、為にビニール又は、その類似品使用にはばを広げ、シートセットどめば従来のひもに加え、マジックバンド使用を考えたい。そして、この機に製造の省力化の為にもベースのシンプル化、と材質の設定をも解きたい。
【考案の効果】
【０００４】材質の多用化、ベース自身のシンプル化、セットどめは従来のひもも良し、マジックバンドも良し、バスケット奥が広がり、折り曲げにくい朝刊にも使用出来る事になり、スクーターだけでなく、一般チェンジ式バイクにも便利な物である。
請求項２を利用すれば脱着に少し時間がかかるが、より秀れた物になるだろう。
【図面の簡単な説明】
【０００５】
【図１】バスケットの内側よりベースの大の板を支える小の板である。
【図２】考案具その物であり、大小２枚の板をネジ締めしたものである。バスケットサイド枠左、右一対で１セットとなる。
【図３】考案具をバスケットに装着したスケッチ図である。実際にはバスケットには袋状のものが入るので小の板はほとんど見えない。
【図４】考案具を装着後、バスケットの下へと引っぱり安定さすゴムバンド。
【図５】請求項２を利用する場合ベース上部穴にこの丸棒を通し、左右のベースを連結さし、ベースの外側及びベース間にクリップでシートをセットどめする丸棒で、市販品で木材と、農業用園芸支柱。
【図６】写真
【図７】写真  図面の寸法数値の前に約がつきます。
【符号の説明】
【０００６】１、大、小の板をネジ締めする為のネジ穴。
２、木材の場合の厚みは０．４ｃｍでそれ以外は０．３ｃｍ。
３、ハンドルのプロテクター障害を防ぐ為の切り欠き線。
４、カバーシートセットどめ穴であり、請求項２を利用する場合の丸棒通し穴。
５、請求項２を利用しない時のカバーシートセットどめマジックバンド。
６、考案具をバスケットの下へ引っぱり押え込む為のゴムバンド先の金具用穴。
７、考案具として、大小２枚の板をネジ締めしたナベサラビス。
８、考案具をバスケットの下へ安定セットする為のゴムバント。
【図１】
0003186208.tif 000003
【図２】
0003186208.tif 000004
【図３】
0003186208.tif 000005
【図４】
0003186208.tif 000006
【図５】
0003186208.tif 000007
【図６】
0003186208.tif 000008
【図７】
0003186208.tif 000009
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
新聞配達でのバイクバスケットの防雨用具であり、大小の２枚の薄い板をバスケットサイド枠を挟さんで立てる為にネジ締めした物を両サイド上に立ててその上にカバーになるシートをかぶせ防雨容積を確保する物で、小の板は枠の内側より大の板を支える役目をし、大の板は考案のベースであり長方形を少しくずした形で一長辺側の中程にハンドルプロテクター対応の切り欠きを施し、その上の隅と底辺近くの中央とに穴を有し、その対辺上角に風圧対応の為の大きな丸みを施し、各エッジはなめらかに材質が木材の場合は塗装の表面処理を施したバイクバスケットの防雨用具。
【請求項２】
ベースのハンドルプロテクター対応の切り欠き上隅の穴に丸棒を通し左右を連結し、ベースの外側及びベース間でクリップ等により、防雨カバーシートを丸棒にセットどめが出来る特徴をもつ、請求項１に記載のバイクバスケット防雨用具。
【手続補正２】
【補正対象書類名】明細書
【補正対象項目名】０００３
【補正方法】変更
【補正の内容】
【０００３】使用上の利便性から新聞の出し入れする開口は常時開けておく必要がある為に本体ベースの面積を広くする事に限られるので、為に防雨カバーシート材にはばをもたせたり、シートどめは従来のひももよし、面ファスナーをも加えたい、そしてこの幾に製造の省力化と材質の設定をも解きたい。
【手続補正３】
【補正対象書類名】明細書
【補正対象項目名】０００４
【補正方法】変更
【補正の内容】
【０００４】材質の多用化、ベース自身のシンプル化、セットどめは従来のひもも良し、面ファスナーも良し、バスケットの奥が広がり折りまげにくい朝刊にも使用出来ることになり、スクーターのみならず一般チェンジ式バイクにも便利な物であり、請求項２を利用すればより良い物になる。
【手続補正４】
【補正対象書類名】明細書
【補正対象項目名】０００６
【補正方法】変更
【補正の内容】
【０００６】１．  大、小の板をネジ締めする為のネジ穴。
２．  木材の場合の厚みは、０．４ｃｍでそれ以外は０．３ｃｍ。
３．  ハンドルのプロテクター障害を防ぐ為の切り欠き線。
４．  カバーシートのセットどめ穴であり、請求項２を利用する場合の丸棒通し穴。
５．  請求項２を利用しない時のカバーシートセットどめ面ファスナー。
６．  考案具をバスケットの下へ引っぱり押え込む為のゴムバンド先の金具用穴。
７．  考案具として、大小２枚の板をネジ締めしたナベサラビス。
８．  考案具を、バスケットの下へ安定セットする為のゴムバンド。